(57)【要約】【課題】  本体と交換ユニットの取付状態を解除しても本体には何の影響も与えない。【解決手段】  交換ユニットの取付面には、交換ユニットに対して移動可能に封止片４６ａ，４６ｂが設けられる。封止片４６ａ，４６ｂは、本体１０に対して交換ユニットを着脱可能な状態とする着脱可能位置と、本体に対して交換ユニットを着脱不能な状態とする着脱不能位置とに移動できる。本体１０の取付面には、交換ユニットの取付面の一部を開放する第１開口１１と、封止片４６ａ，４６ｂが貫通する第２開口１９ａ，１９ｂが設けられる。封止片４６ａ，４６ｂが着脱可能位置に位置した状態で交換ユニットを本体１０に装着し、その封止片４６ａ，４６ｂを着脱可能位置から着脱不能位置に移動させ、その封止片４６ａ，４６ｂの開放端を第１開口１１を通って交換ユニットの取付面に脱着歴識別可能に固定されている。【選択図】  図８
2005304973.tif 000002
【特許請求の範囲】
【請求項１】
本体と、その本体に交換可能に取付けられる交換ユニットとを備え、その交換ユニットがメイン制御基板を収容するメイン基板ケースを含んで構成される遊技機であって、
交換ユニットの取付面には、交換ユニットに対して移動可能に封止片が設けられ、その封止片は、本体に対して交換ユニットを着脱可能な状態とする着脱可能位置と、本体に対して交換ユニットを着脱不能な状態とする着脱不能位置とに移動可能となっており、
本体の取付面には、交換ユニットの取付面の一部を開放する第１の開口と、その第１の開口と隣接し、交換ユニットを本体に装着する際に交換ユニットの取付面に設けられた封止片が貫通する第２の開口が設けられており、
封止片が着脱可能位置に位置した状態で交換ユニットを本体に装着し、その封止片を着脱可能位置から着脱不能位置に移動させ、その封止片の開放端を第１の開口を通って交換ユニットの取付面に脱着歴識別可能に固定することで、本体に対して交換ユニットが取付けられていることを特徴とする遊技機。
【発明の詳細な説明】
【技術分野】
【０００１】
本発明は、本体と、その本体に対して交換可能に取付けられる交換ユニットとを備えた遊技機に関する。特に、本体と交換ユニットとの取付構造の改良に関する。
【背景技術】
【０００２】
遊技制御を行うメインユニット（すなわち、交換ユニット）を本体に対して交換可能に取り付け、交換ユニットのみを交換することで新機種に変更することができる遊技機が提案されている（例えば、特許文献１）。特許文献１に記載の遊技機は、本体と、その本体に取付けられた交換ユニットと、その交換ユニットに取付けられたメイン基板ケースとを備える。メイン基板ケースは、ケース本体と、そのケース本体の開口を閉じるケースカバーにより構成される。ケース本体には遊技状態を制御するメイン制御基板が取付けられ、ケース本体の開口をケースカバーで閉じることで、メイン基板ケース内にメイン制御基板が収容される。ケースカバーとケース本体との取付けは、ケースカバー側の取付け部位をケース本体側の取付け部位にワンウェイネジによってネジ止めすることで行われる。ワンウェイネジは、ネジ締付方向にのみ回転可能となっている。このため、ケース本体とケースカバーとが取付けられた後は、ケース本体とケースカバーの取付け部位を破壊しない限りケース本体とケースカバーの取付け状態が解除できないこととなる。メイン基板ケースと交換ユニットとの取付け、及び、交換ユニットと本体との取付けも同様に行われ、これらの取付け状態はこれらの取付け部位を破壊しない限り解除できないようになっている。
【０００３】
したがって、メイン制御基板のみを不正な基板に交換しようとすると、ケース本体とケースカバーとの取付け部位を破壊しなければならない。同様に、メイン基板ケースごと不正な基板ケースに交換しようとすると、交換ユニットとメイン基板ケースとの取付け部位を破壊しなければならない。また、交換ユニットごと交換しようとしても交換ユニットと本体との取付け部位を破壊しなければならない。取付け部位を破壊すると破壊された痕跡（被取付部材に埋め込まれたワンウェイネジ）が残るため、その部位が破壊されたことを容易に発見することができる。このため、不正な部品に交換された可能性があることを容易に発見でき、不正行為を効果的に抑制することができる。
【特許文献１】特開２００３−３１０８３７号公報
【発明の開示】
【発明が解決しようとする課題】
【０００４】
上述した従来の遊技機では、本体と交換ユニット、交換ユニットとメイン基板ケース、メイン基板ケースのケース本体とケースカバーの取付状態を解除すると、被取付側の部材にワンウェイネジが残るようになっている。交換ユニットとメイン基板ケース、及び、ケース本体とケースカバーについては、交換することが前提となっていないため、被取付側の部材にワンウェイネジが残っても大きな問題とはならない。しかしながら、本体と交換ユニットの場合は、本体に対して交換ユニットを交換することが前提となるため、このことが大きな問題となる。
すなわち、上述した遊技機において新機種に変更する際は、交換ユニットと本体との取付状態を解除し、取り付けられている交換ユニットを取り外し、新たな交換ユニットを本体に取付ける。交換ユニットと本体との取付状態を解除すると、本体側にワンウェイネジが残るため、その取付部位を利用して新たな交換ユニットを取り付けることができない。したがって、従来の技術では、本体と交換ユニットの両者に複数の取付部位を設けておき、交換ユニットを交換する毎に取付部位を変更しなければなかった。しかしながら、遊技機のスペースの問題等から取付部位を無制限に設けることはできない。このため、従来の技術によると、限られた回数しか交換ユニットを交換することができなかった。
【０００５】
なお、交換ユニットごと不正な部品に交換することは、コスト面等から現実的には考え難い。したがって、本体と交換ユニットの取付構造については、本体側に破壊された痕跡を必ずしも残す必要はなく、取付部位を破壊しなければ取付状態が解除できないようにしておくだけで充分であると考えられる。
【０００６】
本発明は、上述した実情に鑑みてなされたものであり、本体と交換ユニットの取付状態をその取付部位を破壊しなければ解除することができない構造としつつ、本体と交換ユニットの取付状態を解除しても本体には何らの影響を与えることがない遊技機を提供することを目的とする。
【課題を解決するための手段】
【０００７】
上記目的を達成するため、本発明の遊技機は、本体と、その本体に交換可能に取付けられる交換ユニットとを備え、その交換ユニットがメイン制御基板を収容するメイン基板ケースを含んで構成される。交換ユニットの取付面には、交換ユニットに対して移動可能に封止片が設けられ、その封止片は、本体に対して交換ユニットを着脱可能な状態とする着脱可能位置と、本体に対して交換ユニットを着脱不能な状態とする着脱不能位置とに移動可能となっている。本体の取付面には、交換ユニットの取付面の一部を開放する第１の開口と、その第１の開口と隣接し、交換ユニットを本体に装着する際に交換ユニットの取付面に設けられた封止片が貫通する第２の開口が設けられている。そして、封止片が着脱可能位置に位置した状態で交換ユニットを本体ユニットに装着し、その封止片を着脱可能位置から着脱不能位置に移動させ、その封止片の開放端を第１の開口を通って交換ユニットの取付面に脱着歴識別可能に固定することで、本体に対して交換ユニットが取付けられている。
【０００８】
この遊技機では、交換ユニットの取付面に設けられた封止片は、着脱可能位置に位置すると、本体の取付面に設けられた第２の開口を貫通することができる。したがって、封止片を着脱可能位置に位置した状態で交換ユニットを本体に装着すると、封止片は第２の開口を貫通して本体表面より外側に突出する。この状態で封止片を着脱不能位置に位置させると、その開放端は第１の開口を通って交換ユニットの取付面に対向する位置となり、封止片の開放端と交換ユニットの取付面を着脱不能に固定することができる。このため、封止片の取付端（交換ユニットへの取付端）は本体の第２の開口を貫通し、封止片の開放端は本体の第１の開口を通って交換ユニットの取付面に固定されるため、封止片を破壊しない限り本体と交換ユニットの取付状態が解除されないこととなる。また、封止片の開放端は交換ユニットの取付面に固定されるため、封止片を破壊してもその痕跡は本体には残らないこととなる。このため、本体に対する交換ユニットの交換回数に制限は無い。
なお、封止片の開放端と交換ユニットの取付面とを固定する手段としては、例えば、封止片の開放端をワンウェイネジによって交換ユニットの取付面に固定する構成を採用することができる。
【０００９】
前記本体のうち第１の開口と第２の開口の間の部分が、前記交換ユニットの取付面と封止片の裏面とによって挟持されていることが好ましい。このような構成によると、封止片を交換ユニットの取付面に固定する構造を採用しても（すなわち、本体と交換ユニットをネジ等で締結する構造を採用しなくても）、交換ユニットを本体に対して安定して保持することができる。
【００１０】
また、前記封止片の表面には、封止片の表面から本体の表面にわたって封止シールが貼られていることが好ましい。このような構成によると、交換ユニットを交換するためには封止シールを剥がす必要が生じる。したがって、交換ユニットを交換すると、その痕跡（シール跡）が本体に残ることとなる。このため、交換ユニットが不正に交換されたときは、そのことが容易に分かるため、不正をより効果的に抑制することができる。
【発明を実施するための最良の形態】
【００１１】
以下、本発明を具現化した一実施形態に係る回胴式遊技機（パロット）を、図面を参照して説明する。本実施形態のパロットは、本体１０と、本体１０に着脱可能に取り付けられるパネル３０によって構成される。まず、本体１０の構成について図５〜７を参照して説明する。図５はパロットの正面図であり、図６は前面扉を開放した状態の本体を示す斜視図であり、図７は本体の背面図である。
【００１２】
図６に示されるように本体１０は、木枠１３と、木枠１３に装着されたプラスチック枠１５と、木枠１３の前面一側辺に開閉可能に装着された前面扉１２とで構成される。プラスチック枠１５には、パネル３０を収容するための収容部１５ａが形成される。また、プラスチック枠１５の裏面１７（収容部１５ａの裏面）には、パネル３０の裏面に取り付けられたメイン基板ボックス３８が貫通するための第１開口１１と、第１開口１１の上下に配置された第２開口１９ａ、１９ｂが形成されている。
【００１３】
前面扉１２の正面中央には、図５に示されるように、パネル３０に装着された３つのドラム３２，３４，３６に描かれた図柄を視認可能とするための表示窓１４が設けられている。３つのドラム３２，３４，３６が停止した状態では、ドラム毎に３つの図柄、すなわち合計９個の図柄が遊技者に視認される。表示窓部１４に停止表示される９個の図柄のうち有効ライン上に所定の図柄が停止すると、その図柄に応じて遊技者に特典が付与される。なお、ドラム３２，３４，３６によって構成される図柄表示装置、並びにドラム３２，３４，３６に描かれる図柄列の構成については、公知のパロットと同様に構成することができるため、その詳細な説明については省略する。
【００１４】
表示窓１４の下側には、スタートレバー２２、停止ボタン２０，１８，１６が設けられている。スタートレバー２２を操作すると、各ドラム３２，３４，３６が回転を開始する。そして、停止ボタン２０を操作すると左ドラム３２の回転が停止し、停止ボタン２８を操作すると中ドラム３４の回転が停止し、停止ボタン１６を操作すると右ドラム３６の回転が停止する。スタートレバー２２、停止ボタン２０，１８，１６の下側には球皿２４が配設されている。球皿２４には遊技結果に応じて遊技者に払出される賞球等貯留される。
【００１５】
次に、上述したプラスチック枠１５の収容部１５ａに収容されるパネル３０について説明する。なお、パネル３０の前面の構成については、従来公知のパロットに装着されるパネルと同一構成とすることができるため、ここではパネル３０の裏面の構成（特に、パネル３０の本体１０への取付構造に係る部分）について説明する。図１はパネル３０の背面図である。図１に示すように、パネル３０の背面には、メイン基板ボックス３８が取付けられている。
【００１６】
図３に示すように、メイン基板ボックス３８は、ケース本体３９ｂと、ケース本体３９ｂを覆うケースカバー３９ａを備えている。ケース本体３９ｂにはメイン制御基板１００が取付けられている。メイン制御基板１００は、プリント配線された基板上にＣＰＵ，ＲＯＭ，ＲＡＭ等を内蔵したＣＰＵ素子が実装された制御装置であり、パロットで行われる遊技全体を制御する。ケース本体３９ｂに取付けられたメイン制御基板１００の上方はケースカバー３９ａで閉じられ、これによって、メイン基板ボックス３８内にメイン制御基板１００が収容されている。ケース本体３９ｂには連結片４１によってケースカシメ部４０が固定されている。ケースカシメ部４０は、ワンウェイネジＳによってケース本体３９ｂに取付けられている。したがって、ケースカシメ部４０がワンウェイネジＳによってケース本体３９ｂと固定されると、連結片４１を切断しない限り、ケース本体３９ｂとケースカバー３９ａの取付状態を解除できないこととなる。なお、ケース本体３９ｂにケースカバー３９ａを取付けるためのケースカシメ部４０は、メイン制御基板１００の検査ができるように４箇所（図１，２のメイン基板ボックス３８の上辺の４０ａ〜４０ｄ）設けられている。
【００１７】
また、メイン基板ボックス３８の左右両辺には、パネル３０にメイン基板ボックス３８を取付けるためのケース−パネルカシメ部４２，４４が設けられている。ケース−パネルカシメ部４２（４４）も、上述したケースカシメ部４０と同様に、メイン基板ボックス３８に連結片４３（４５）を介して固定されている。したがって、ケースパネルカシメ部４２（４４）がワンウェイネジでネジ締めされると、連結片４３（４５）を切断しない限り、パネル３０からメイン制御基板３８を取外すことができない。
【００１８】
また、パネル３０は、上述したメイン基板ボックス３８の上下の位置に封止部４６ａ，４６ｂと、封止部４６ａ、４６ｂのそれぞれに対応して取付部４８ａ，４８ｂが配設されている。これら封止部４６ａ、４６ｂと取付部４８ａ，４８ｂによって、パネル３０が本体１０に取付けられる。なお、封止部４６ａと４６ｂは同一構成であり、取付部４８ａと４８ｂも同一構成であるため、封止部４６ａと取付部４８ａについてのみ説明する。
【００１９】
図９に示すように、封止部４６ａは、パネル３０に一端が固定された取付軸部材４７ａと、取付部材４７ａの先端に回動可能に取付けられた封止片４９ａによって構成される。封止片４９ａがパネル３０の下端に対して略水平の位置に位置決めされた状態（図１の状態）では、封止片４９ａがプラスチック枠１５の第２開口１９ａを貫通することができ、パネル３０をプラスチック枠１５の収容部１５ａに収容することができる。なお、パネル３０をプラスチック枠１５に収容した状態では、パネル３０裏面のメイン基板ボックス３８及び取付部４６ａ，４６ｂは、プラクスチック枠１５の第１開口１１内に位置し、第１開口１１を通ってプラスチック枠１５の裏側に突出している（図８参照）。
【００２０】
一方、封止片４９ａがパネル３０の下端に対して略垂直の位置に位置決めされた状態（図８参照）では、封止片４９ａがプラスチック枠１５の第２開口１９ａを貫通することはできない。したがって、パネル３０がプラスチック枠１５の収容部１５ａに収容された状態で、かつ、封止片４９ａがパネル３０の下端に略垂直の位置に位置決めされると、パネル３０はプラスチック枠１５から取外すことができなくなる（図８の状態）。
【００２１】
図８に示す状態では、図９に示すように、封止片４９ａの先端（開放端）の裏面は、プラスチック枠１５の第１開口１１を貫通した取付部４８ａの上面に当接する。このため、封止片４９ａの先端をワンウェイネジによって取付部４６ａに固定することで、パネル３０を本体１０に対して封止状態で取付けることができる。
すなわち、封止部４６ａの取付軸部材４７ａは、プラスチック枠１５の第２開口１９ａを貫通し、また、取付軸部材４７ａの先端に取付けられた封止片４９ａの開放端は、プラスチック枠１５の第１開口１１を貫通する取付部４８ａにワンウェイネジＳで固定される（図９参照）。したがって、パネル３０、取付軸部材４７ａ、封止片４９ａ及び取付部４８ａによって、プラスチック枠１５の一部１７ａ（第１開口１１と第２開口１９ａの間の部分）が抜けない様にロックされる。このため、図１０に示すように封止片４９ａを破断しない限り、パネル３０と本体１０との取付状態を解除することができないこととなる。
【００２２】
上述した説明から明らかなように、本実施形態のパロットでは、本体１０に対するパネル３０の取付けは、パネル３０側に設けた封止部４６ａ、４６ｂと取付部４８ａ，４８ｂとによって行われる。また、本体１０からのパネル３０の取外しは、封止片４９ａ，４９ｂが切断されることによって行われ、封止片４９ａ、４９ｂを固定するためのワンウェイネジＳはパネル３０側に残る。したがって、本体１０には何らの影響もないため、パネルの交換に影響が生じない。
【００２３】
以上、本発明の一実施形態について詳細に説明したが、これは例示にすぎず、特許請求の範囲を限定するものではない。特許請求の範囲に記載の技術には、以上に例示した具体例を様々に変形、変更したものが含まれる。
【００２４】
上述した実施形態では、パネルに回動可能に取付けた封止片の先端をパネルに突設した取付部に固定するだけであったが、例えば、図１１に示すように、封止片４９の表面からプラスチック枠の裏面１７にわたって封止シールＨを貼り付けるようにしてもよい。かかる構成によると、本体１０からパネル３０を取外すためには、封止片４９を切断し、さらに、封止シールＨを剥がさなければならない。このため、封止シールＨの一部がプラスチック枠１５の裏面１７に残る。したがって、不正を行おうとする者が本体１０からパネル３０を取外すと、その痕跡がプラスチック枠１５の裏面１７に残り、不正が行われたことを容易に発見することができる。このため、不正行為をより効果的に防止することができる。
【００２５】
また、上述した実施形態では、封止片とプラスチック枠との間に隙間が形成されていたが、例えば、図１２に示すような構造を採ることもできる。図１２に示す構造では、封止片４９を弾性変形する材料により形成する。プラスチック枠１７の上面（第１開口と第２開口の間の部分）は、取付部５０に向かって上方に傾斜する傾斜面とする。また、取付部５０の上面には、封止片４９の一部が嵌まり込む溝５２が形成される。封止片４９が取付部５０の溝５２に嵌まり込むと、封止片４９はプラスチック枠１７の一部（第１開口と第２開口の間の部分）に当接して弾性変形する。これによって、プラスチック枠１７の一部（第１開口と第２開口の間の部分）が封止片４９とパネル３０によって挟持され、強固に保持することができる。
【００２６】
さらに、図１３に示すように、パネル３０の下端に設けた封止片５３を伸縮自在に構成し、封止片５３を伸張して、その先端をメイン基板ボックス３８のカシメ部５５にワンウェイネジＳで固定するような構成としてもよい。かかる構成を採用すると、メイン基板ボックス３８の側辺に設けていたケース−パネルカシメ部を無くすことができる。
なお、上述した説明では封止片５３を伸縮構造としたが、封止片を伸縮構造とする必要は必ずしもない。例えば、プラスチック枠に形成する第２開口を大きくし、封止片５３を長いままで第２開口を貫通するようにしてもよいし、あるいは、メイン基板ボックスを配置する位置を下方に移動し、短い封止片を利用するようにしてもよい。
【００２７】
また、上述した実施形態ではＬ字状の封止部を採用したが、本発明はこのような形態に限られず、コの字状の封止部を採用するようにしてもよい。例えば、基板ケース（交換ユニット）にコの字状の封止片を設ける。基板ケースが取付けられる取付板は本体に固定され、その取付板の外周面には取付片が形成される。取付片には、基板ケースに設けた封止片が貫通する貫通孔が形成される。基板ケースが取付板に取付けられると、基板ケースのコの字状の封止片の一方が取付片の一方の面に突出し、封止片の他方が取付片の他方の面に位置する。したがって、封止片を９０度だけ回動させて、封止片の先端を取付片の外側に移動させると、封止片の両端は対向する位置となる。したがって、この対向する封止片の両端をワンウェイネジ等によって固定すると、基板ケースを取付板に封止状態で取り付けることができる。このような構成によると、取付板（本体側）に封止片が貫通する貫通孔だけを設ければよいこととなる。
【００２８】
さらに、上述した実施形態は本発明を回動式遊技機（パロット機）に適用した例であったが、本発明はこのような例に限られず、例えば、パチンコ機や雀球遊技機等に適用することもできる。
【００２９】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００３０】
【図１】パネルの裏面を示す図
【図２】メイン基板ボックスの正面図
【図３】ケース本体とケースカバーの取付部を拡大して示す図
【図４】メイン基板ボックスに設けられたケース−パネルカシメ部を拡大して示す図
【図５】本実施形態に係るパロットの正面図
【図６】前面扉を開放した状態の本体を示す斜視図
【図７】本体の背面図
【図８】本体にパネルが収容された状態のパロットの背面図
【図９】本体とパネルの取付部を拡大して示す図
【図１０】封止片を切断した状態を模式的に示す図
【図１１】本実施形態の変形例を説明するための図
【図１２】本実施形態の変形例を説明するための図
【図１３】本実施形態の変形例を説明するための図
【符号の説明】
【００３１】
１０・・本体
１１・・第１開口
１２・・前面扉
１９・・第２開口
３０・・パネル
４６・・封止部
４８・・取付部
【図１】
2005304973.tif 000003
【図２】
2005304973.tif 000004
【図３】
2005304973.tif 000005
【図４】
2005304973.tif 000006
【図５】
2005304973.tif 000007
【図６】
2005304973.tif 000008
【図７】
2005304973.tif 000009
【図８】
2005304973.tif 000010
【図９】
2005304973.tif 000011
【図１０】
2005304973.tif 000012
【図１１】
2005304973.tif 000013
【図１２】
2005304973.tif 000014
【図１３】
2005304973.tif 000015